(57)【要約】【課題】視聴を伴わずにコンテンツを予め配信しておき、配信者が予め定めた時刻に、コンテンツを視聴可能にする放送方法及び放送受信装置を提供すること。その他、配信者が意図しない時刻においては、コンテンツを視聴不可能の状態にしてコンテンツを保護すること。【解決手段】第１の時間帯に蓄積開始指示情報を伴うコンテンツを放送して該コンテンツを受信側の記録媒体へ記録しておき、第１の時間帯より後の第２の時間帯に、上記記録媒体に記録されたコンテンツを読み出すための再生開始指示情報を放送してコンテンツを視聴可能にする。コンテンツは、暗号化されることが望ましい。第２の時間帯で再生開始指示情報と共に放送される暗号解読キーを用いて読み出した暗号化コンテンツを解読、再生する。解読終了と同時に暗号解読キーを消去する。【選択図】図１
2008054329.tif 000002
【特許請求の範囲】
【請求項１】
第１の時間帯に、蓄積開始指示情報を伴うコンテンツを放送して該コンテンツを受信側の記録媒体へ記録しておき、第１の時間帯より後の第２の時間帯に、上記記録媒体に記録されたコンテンツを読み出すための再生開始指示情報を放送して該コンテンツを視聴可能にすることを特徴とする放送方法。
【請求項２】
第１の時間帯に放送される前記コンテンツは暗号化されており、第２の時間帯に放送される前記再生開始指示情報は、上記の暗号化されたコンテンツを解読するための暗号解読キーを伴っていることを特徴とする請求項１に記載の放送方法。
【請求項３】
第１の時間帯に放送される前記コンテンツは、該コンテンツを特定するためのＩＤ情報を伴っており、第２の時間帯に放送される再生開始指示情報は、記録媒体から読み出して再生するコンテンツを特定するためのＩＤ情報を伴っていることを特徴とする請求項１又は請求項２に記載の放送方法。
【請求項４】
第１の時間帯に放送されるコンテンツは、該コンテンツの記録媒体への記録を終了させるための蓄積終了指示情報を伴っていることを特徴とする請求項１〜請求項３のいずれか一に記載の放送方法。
【請求項５】
第１の時間帯に放送されるコンテンツと該コンテンツの蓄積開始指示情報と第１の時間帯より後の第２の時間帯に放送される再生開始指示情報とを受信するチューナと、受信された上記コンテンツを保存するための記録媒体と、受信された上記蓄積開始指示情報に従って該記録媒体に上記コンテンツを記録し、受信された上記再生開始指示情報に従って記録媒体に保存されているコンテンツを読み出して再生する処理を実行するプロセッサとを有していることを特徴とする放送受信装置。
【請求項６】
第１の時間帯に放送されるコンテンツは、暗号化されており、第２の時間帯に放送される前記再生開始指示情報は、暗号化された該コンテンツを解読するための暗号解読キーを伴っており、前記プロセッサは、前記記録媒体から読み出した暗号化されたコンテンツを上記暗号解読キーを用いて解読して再生する処理を実行することを特徴とする請求項５に記載の放送受信装置。
【請求項７】
第１の時間帯に放送されて記録媒体に記録されるコンテンツは、該コンテンツを特定するための第１のＩＤ情報を伴っており、更に、前記再生開始指示情報は、第２のＩＤ情報を伴っており、前記プロセッサは、コンテンツに伴って記録媒体に保存されている第１のＩＤ情報が再生開始起動指示情報に伴う第２のＩＤ情報と一致するコンテンツを読み出して再生する処理を実行することを特徴とする請求項５又は請求項６に記載の放送受信装置。
【請求項８】
第１の時間帯に放送されるコンテンツは、該コンテンツの記録媒体への記録を終了させるための蓄積終了指示情報を伴っており、前記プロセッサは、コンテンツの記録媒体への記録を上記蓄積終了指示情報の受信と同時に終了させることを特徴とする請求項５〜請求項７のいずれか一に記載の放送受信装置。
【請求項９】
前記プロセッサは、受信した前記暗号解読キーをメモリに記憶し、暗号化されたコンテンツの解読の終了後に前記暗号解読キーをメモリから消去する処理を実行することを特徴とする請求項６に記載の放送受信装置。
【発明の詳細な説明】
【技術分野】
【０００１】
本発明は、映像又は音響等のコンテンツを放送する方法及び該方法によって放送されたコンテンツを受信する装置に関する。
【背景技術】
【０００２】
映像又は音響等のコンテンツ（付加的データを除いた情報の中味）を電波やケーブル等の伝送媒体を通して放送する従来のテレビ放送又はラジオ放送では、コンテンツは放送と同時に受信され、視聴されていた。この場合、放送する側の意図によって放送時刻が決められ、伝送媒体の帯域は、コンテンツ送信によって占有される。また、同じコンテンツを複数回放送する場合には、該回数分、重複してコンテンツを配信することが行なわれていた。
【０００３】
コンテンツが映像である場合、ディジタル圧縮されてもコンテンツの送信に広い帯域を必要とする。そこで、コンテンツをディジタル圧縮しかつ暗号化してからＤＶＤ等の記録媒体に格納し、該記録媒体を郵送等により配布する一方、放送で暗号解読キーのみを配信する方法が提案されている（例えば特許文献１参照）。暗号解読キーは、契約者のみが取得することができる。
【０００４】
このようなコンテンツ配布では、契約者たるユーザが暗号化コンテンツとその暗号解読キーの両方を持つようになるため、ユーザは自分の好みや都合の良い時間にコンテンツを再生すればよく、通常の放送のように放送側が意図した時刻に限定して再生することは一般には行なわれない。
【０００５】
【特許文献１】特開平１１−２１３５５３号公報
【発明の開示】
【発明が解決しようとする課題】
【０００６】
放送と同時に受信して視聴する場合は、上記したようにコンテンツの配信に要する広い帯域を確保しなければならない。また、コンテンツをディジタル化すれば、記録媒体を用いた上記の配布の他、複数の狭い帯域に分割して配信する、或いは狭い帯域を使って時間を掛けて配信する等、種々の合理的配信手段の採用が可能になる。そのような配信では、いずれもリアルタイム性は損なわれる。しかし、放送においては、配信者（放送側）が意図した時刻に限定して視聴させたいコンテンツが数多くある。従来の技術では、そのような視聴時刻限定の要望を満たしながら、上記のような合理的配信手段を採用することは不可能であった。
【０００７】
また、同じコンテンツを頻繁に複数回放送するとき、広い帯域を必要とするコンテンツ自体の配信を一回で済ますことが可能になれば、放送の利用効率が高まるが、従来の技術では、そのような放送形態は実現されない。
【０００８】
本発明の目的は、従来技術の上記課題を解決し、視聴を伴わずにコンテンツを予め配信しておき、その後配信者が予め定めた時刻に、予め配信されたコンテンツを視聴可能にする放送方法及び放送受信装置を提供することにある。
【０００９】
本発明の付帯的な目的は、配信者が意図しない時刻においては、コンテンツを視聴不可能の状態にしてコンテンツを保護する放送方法及び放送受信装置を提供することにある。
【課題を解決するための手段】
【００１０】
上記目的を達成するために、本発明の放送方法は、第１の時間帯に蓄積開始指示情報を伴うコンテンツを放送して該コンテンツを受信側の記録媒体へ記録しておき、第１の時間帯より後の第２の時間帯に、上記記録媒体に記録されたコンテンツを読み出すための再生開始指示情報を放送して該コンテンツを視聴可能にすることを特徴とする。
【００１１】
上記目的を達成するために、本発明の放送受信装置は、第１の時間帯に放送されるコンテンツと該コンテンツの蓄積開始指示情報と第１の時間帯より後の第２の時間帯に放送される再生開始指示情報とを受信するチューナと、受信された上記コンテンツを保存するための記録媒体と、受信された上記蓄積開始指示情報に従って該記録媒体に上記コンテンツを記録し、受信された上記再生開始指示情報に従って記録媒体に保存されているコンテンツを読み出して再生する処理を実行するプロセッサとを有していることを特徴とする。
【００１２】
第１の時間帯に放送されるコンテンツは、暗号化されており、第２の時間帯に放送される前記再生開始指示情報は、暗号化された該コンテンツを解読するための暗号解読キーを伴っており、前記プロセッサは、前記記録媒体から読み出した暗号化されたコンテンツを上記暗号解読キーを用いて解読して再生する処理を実行するに際して、受信した前記暗号解読キーをメモリに記憶し、暗号化されたコンテンツの解読の終了後に前記暗号解読キーをメモリから消去する処理を実行することが望ましい。これにより、上記付帯的な目的が達成される。
【発明の効果】
【００１３】
本発明によれば、深夜等、放送コンテンツが配信されていないときに予め暗号化コンテンツを送り、昼間等には情報量の少ないテキスト情報や再生開始指示情報、コンテンツ識別情報、暗号解読キーのみを送ることにより、少ない放送帯域で、配信者が定めた順序と内容でコンテンツを視聴することが可能になる。
【００１４】
また、ＣＭコンテンツのように、放送時間中に何度も同じコンテンツを放送する場合、コンテンツ自体は１回放送し、再生開始指示情報、コンテンツ識別情報及び暗号解読キーのみを複数回放送するだけで良い。
【００１５】
更に、コンテンツの暗号解読キーはコンテンツが再生される時刻に送られ、再生が終了すると直ちに消去されるため、配信側が意図した時刻でのみ視聴可能とし、他の時刻においては再生不可能とすることによりコンテンツを保護することができる。
【００１６】
その他、ユーザが暗号解読キーのみを別途購入することにより、容易にコンテンツを購入することができる。
【発明を実施するための最良の形態】
【００１７】
以下、本発明に係る放送方法及び放送受信装置を図面に示した発明の実施の形態を参照して更に詳細に説明する。
【００１８】
例えば、衛星放送には、チャネルの帯域の大部分をテレビ放送に当て、残った帯域で複数のデータ放送を行なう放送形態がある。データ放送のチャネル当たりの帯域は、残った帯域を更に複数で分割したものになるので、狭い帯域となる。データ放送では、そのような狭い帯域でも、データの配信には十分である。本発明の放送方法をそのようなデータ放送に適用した実施形態を図１に示す。
【００１９】
図１において、Ａは、視聴者が少ないため通常の放送が行なわれない深夜から早朝にかけての時間帯であり、Ｂは、通常の放送が行なわれる朝、昼、夜の時間帯である。本実施形態では、少なくとも一つの暗号化されたコンテンツ１００が通常の放送が行なわれない時間帯Ａで複数のデータ放送用の全帯域を使って配信され、その後の時間帯Ｂで、コンテンツ１００に関する解説文書データや音声情報等と共に再生指示情報がコンテンツ１００のサブデータ１０１として放送される。暗号化されたコンテンツ１００の暗号解読キーは、再生指示情報に含めて配信される。なお、時間帯Ｂでは、その他の放送によるデータ１０２がそれぞれのチャネルで放送される。
【００２０】
受信側では、時間帯Ａにおいて、暗号化されたコンテンツ１００が常時動作状態の受信機で受信され、記録媒体に蓄積される。蓄積されたコンテンツ１００は、サブデータ１０１の放送時間に再生指示情報に従って読み出され、暗号を解読しながら再生される。
【００２１】
さて、本発明では、コンテンツ１００のサブデータ１０１の放送時間は、時間帯Ｂの中で、配信者（放送側）が予め定めた時刻に設定される。そのため、受信側でのコンテンツ１００の再生は、サブデータ１０１の放送時間に即ち配信者が予め定めた時刻に行なわれることとなる。そして、その他の時刻では再生指示情報が配信されないので、暗号化されたコンテンツ１００の解読及び再生は不可能となり、コンテンツの保護がなされる。
【００２２】
なお、サブデータ１０１の再生指示情報の放送を時間帯Ｂにおいて複数回設定すれば、その都度再生が行なわれ、複数回の受信及び再生を一回のコンテンツ配信で済ますことが可能になる。
【００２３】
以下に、このような本発明の配信から受信に至る放送の流れについて詳しく説明する。
【００２４】
本発明の放送を実現する放送側の送信方法を図２に示す。まず、コンテンツを暗号化し（ステップ２０１）、暗号化したコンテンツ１００を再生時刻より前の時間帯Ａにて送信する（ステップ２０２）。次に、時間帯Ｂの内の配信者が予め定めた時刻になってから、コンテンツ１００のサブデータ１０１、即ちコンテンツ１００に関する解説文書データや音声情報及び再生指示情報を送出する（ステップ２０３）。
【００２５】
ここで、ステップ２０１によるコンテンツ１００の暗号化は、コンテンツ毎に異なる暗号化キーを用いて行ななわれる。例えば、コンテンツＣiは、Ｃi固有の暗号化キーＫＥiを用いて暗号化され、暗号化コンテンツＫＥi (Ｃi)として生成される。
【００２６】
次に、時間帯Ａにおいてコンテンツ１００の配信を行なう放送の詳細を図３に示す。放送側は、常時動作している受信機の記録媒体に記録を行なわせるための蓄積開始指示情報５０１を最初に送信する。続いて、コンテンツを一意に特定するためのＩＤ情報（識別情報）であるＣＲＩＤ(Ｃi)を送信してから、暗号化コンテンツＫＥi(Ｃi)を送る。同コンテンツが終了した時点で、受信機の記録媒体の記録動作を終わらせるための蓄積終了指示情報５０４を送信し、同コンテンツの放送を終了する。
【００２７】
その後の時間帯Ｂでの配信者が予め定めた時刻において配信するコンテンツ１００のサブデータ１０１の詳細を図４に示す。放送側は、まず、コンテンツＫＥi(Ｃi)に関する解説文書データ、解説音声データ等のコンテンツ以外のデータ７０１を送信する。
続いて、再生指示情報として、始めに、常時動作している受信機の記録媒体から記録してある暗号化コンテンツＫＥi(Ｃi)の再生をスタートさせるための再生開始指示情報７０１を送信する。次に、同コンテンツの識別情報であるＣＲＩＤ(Ｃi)７０３を送り、更に、暗号化されている同コンテンツを解読するための暗号解読キーＫＤi７０４を送信する。続いて、別のコンテンツ１００の解説文書データ、解説音声データ等のコンテンツ以外のデータ７０５を送信し、以降同様にして再生指示情報を送信する。
【００２８】
次に、以上の放送側の送信方法に対応する受信側の受信方法を図５に示す。受信機は常時動作している。まず、時間帯Ａにおいて、暗号化コンテンツ１００の受信及び蓄積が行なわれる（ステップ３０１）。次に、時間帯Ａより後の、時間帯Ｂにおける設定された時刻に再生指示情報が受信される（ステップ３０２）。同時にコンテンツ１００の暗号解読及解読されたコンテンツの再生が行なわれる（ステップ３０３）。
【００２９】
このような受信方法を実行する受信機の構成を図６に示す。受信機は、コンテンツの復号等の処理を行なうプロセッサ４０１、放送された暗号化コンテンツや解説文書データ／音声情報、再生指示情報等を入力するチューナ４０２、コンテンツや文書、音声等を出力するための映像／音響出力装置４０３、コンテンツを保存するためのコンテンツ蓄積装置４１０、受信された再生指示情報等を一時的に保存するためのメモリ４１１、プログラム、並びにコンテンツや再生指示情報以外のデータ等を保存するためのプログラム蓄積装置４１２、これらの各装置を接続するバス４１３から構成される。
【００３０】
チューナ４０２はＢＳチューナである。なお、本発明は、衛星放送に限るものではなく、地上波放送、通信衛星放送、ケーブル放送等各種の放送システムに適用可能である、それに応じて、チューナ４０２として、地上波チューナ、ＣＳチューナ、セットトップボックス等が採用される。
【００３１】
映像／音響出力装置４０３として、コンテンツが音楽等の音響のみの場合にはアンプとスピーカが用いられ、コンテンツが映像の場合には更にモニターや表示装置等が用いられる。
【００３２】
コンテンツ蓄積装置４１０として、ハードディスク（磁気ディスク装置）の他、ＤＶＤ−ＲＡＭ／ＲＷ、フラッシュメモリ等が採用される。メモリ４１１として、ＤＲＡＭ等が用いられる。プログラム蓄積装置４１２としては、ハードディスクの他、フラッシュメモリー、ＲＯＭ等が採用される。
【００３３】
次に、図５に示した暗号化コンテンツ受信・蓄積処理３０１の詳細を図３及び図６を参照しながら図７を用いて説明する。受信機は、常時動作しており、チューナ４０２により放送を受信している（ステップ６０１）。プロセッサ４０１は、プログラム蓄積装置４１２に保存されているプログラムに従い、受信された情報に対し、以下の処理を行なう。受信された情報が蓄積開始指示情報５０１でない場合、蓄積開始指示情報５０１が受信されるまで待機する（ステップ６０２）。蓄積開始指示情報５０１が受信されると、続いて受信されるＩＤ情報であるＣＲＩＤ(Ｃi)５０２をコンテンツ蓄積装置４１０に蓄積する（ステップ６０３）。
【００３４】
次に、続いて受信される暗号化コンテンツＫＥi(Ｃi)５０３をコンテンツ蓄積装置４１０に蓄積する（ステップ６０４）。このとき、コンテンツ復号再生の際に必要となる、ＣＲＩＤ(Ｃi)とＫＥi(Ｃi)の対応関係が、本実施形態では、ＣＲＩＤ(Ｃi)をＫＥi(Ｃi)を蓄積する際のファイル名とすることにより設定される。従って、ＣＲＩＤ(Ｃi)は、コンテンツ蓄積装置４１０のディレクトリ情報として蓄積されることとなる。
【００３５】
暗号化コンテンツＫＥi(Ｃi)の蓄積は、蓄積終了指示情報５０４が受信されるまで続けられる（ステップ６０５）。蓄積終了指示情報５０４の受信により、暗号化コンテンツ１００の受信・蓄積処理が終了する（ステップ６０６）。
【００３６】
次に、図５に示した再生指示情報受信３０２及びコンテンツ暗号解読・再生処理３０３の詳細を図４及び図６を参照しながら図８を用いて説明する。受信機は常時動作しており、放送された情報をチューナ４０２より受信している（ステップ８００）。プロセッサ４０１は、プログラム蓄積装置４１２に保存されているプログラムに従い、受信された情報に対し、以下の処理を行なう。受信した情報がコンテンツ再生開始指示情報７０２でないならば（ステップ８０１）、該情報をそのまま出力する（８０２）。その情報は、コンテンツ１００の解説文書や解説の音声である。受信した情報が再生開始指示情報７０２ならば、後に続くＩＤ情報であるＣＲＩＤ(Ｃi)７０３及び暗号解読キーＫＤi７０４をメモリ４１１に記憶する（ステップ８０３）。
【００３７】
続いて、ＩＤ情報ＣＲＩＤ(Ｃi)７０３に基づきコンテンツ蓄積装置４１０に蓄積されている暗号化コンテンツを特定して読み出す（ステップ８０４）。本実施例では、ファイル名（ＩＤ情報）がＣＲＩＤ(Ｃi)７０３であるファイルが該当する暗号化コンテンツファイルである。次に、メモリに記憶されている暗号解読キーＫＤi７０４を用いて読み出した暗号化コンテンツを解読しながら（ステップ８０５）、映像／音響出力装置４０３に解読されたコンテンツを出力する（ステップ８０６）。出力し終わると、メモリに記憶されているＫＤi７０４を消去する（ステップ８０７）。
【００３８】
以上により、再生時以外の時刻において受信機側には暗号化コンテンツ１００のみが存在することになり、コンテンツが保護される。また、再生時には再生開始指示情報、ＩＤ情報ＣＲＩＤ(Ｃi)７０３及び暗号解読キーＫＤi７０４のみを放送すればよく、帯域が狭くても良い。
【００３９】
なお、コンテンツを視聴後、ユーザが該コンテンツの買い取りを希望した場合、暗号解読キーＫＤi７０４のみをネットワーク等を通じて購入することにより、買い取りを実現することができる。
【００４０】
本実施形態では、コンテンツの配信をデータ放送の全帯域を使用して行なったが、コンテンツに全帯域を使用するほどの情報量がなければ、それに応じた適当な帯域を使用すれば良い。また、データ放送に限らず、テレビ放送やラジオ放送の空き時間の利用も可能である。
【図面の簡単な説明】
【００４１】
【図１】本発明に係る放送方法の一実施形態を説明するための図。
【図２】本発明の放送方法におけるコンテンツ配信を説明するためのフローチャート図。
【図３】図２に示した暗号化コンテンツ送出の内容を説明するための図。
【図４】図２に示した再生指示情報送出の内容を説明するための図。
【図５】本発明の放送受信装置の受信方法を説明するためのフローチャート図。
【図６】本発明の放送受信装置の一実施形態を説明するための構成図。
【図７】図６に示した放送受信装置における暗号化コンテンツ受信・蓄積処理の手順を説明するためのフローチャート図。
【図８】図６に示した放送受信装置における再生指示情報受信並びにコンテンツ復号再生処理の手順を説明するためのフローチャート。
【符号の説明】
【００４２】
１００，５０３…暗号化コンテンツ、１０１…サブデータ、１０２…別の放送による番組、４０１…プロセッサ、４０２…チューナ、４０３…映像／音響出力装置、４１０，４１２…蓄積装置、４１１…メモリ、５０１，５０４，７０２…指示情報、５０２，７０３…コンテンツＩＤ情報、７０１，７０５：解説情報・解説音声、７０４：暗号解読キー。
【図１】
2008054329.tif 000003
【図２】
2008054329.tif 000004
【図３】
2008054329.tif 000005
【図４】
2008054329.tif 000006
【図５】
2008054329.tif 000007
【図６】
2008054329.tif 000008
【図７】
2008054329.tif 000009
【図８】
2008054329.tif 000010
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
第１の時間帯に、放送局は、暗号化コンテンツを放送し、
放送受信装置は、放送された該暗号化コンテンツを該放送受信装置が有する記録媒体へ記録し、
上記第１の時間帯より後の第２の時間帯に、上記放送局は、上記暗号化コンテンツを解読して放送局が設定した時刻に再生するための再生開始指示情報と暗号解読キーとを放送し、
上記放送受信装置は、該再生開始指示情報と該暗号解読キーとを受信し、該暗号解読キーを上記記録媒体に記録し、
該再生開始指示情報と該暗号解読キーとを用いて、該暗号化コンテンツを解読し、放送局が設定した時刻に、解読した暗号化コンテンツを再生し、
上記放送受信装置は、上記暗号化コンテンツの解読の終了のときに、解読に用いた上記暗号解読キーを上記記録媒体から削除することを特徴とする放送方法。